(57)【要約】【課題】ユーザＰＣからの要求により、ＩＳＰ業者のルータが一定時間内に複数のルートをユーザに試用させ、ユーザの希望するより快適にＩＰパケット通信を行うことのできるルートを１つ決定させることを可能とし、それに対してユーザに課金を行う。【解決手段】サービス提供ルータと他のルータとの間にＱｏＳ別や迂回ルート等の複数のＩＰルートを設け、サービス提供ルータは、ユーザ端末からの要求があると、ＩＰルートを一定時間のみ確保しユーザに試用させ、一定時間内にユーザ端末から使用確定の要求があると、ユーザ端末からの使用停止要求があるまで決定したＩＰルートを使用させ、使用料を時間課金する。【選択図】　　　　　　図２
2004104252.tif 000002
【特許請求の範囲】
【請求項１】
インターネットサービスを提供するプロバイダのサービス提供ルータと、コンテンツを提供する他の複数プロバイダのルータと、該プロバイダ間を接続するネットワークと、一般ユーザのインターネットサービスプロバイダへの接続を可能とするアクセス網と、一般ユーザの所有する端末とを含むインターネットサービス提供システムにおいて、
前記サービス提供ルータと他のルータとの間にＱｏＳ別や迂回ルート等の複数の優先ＩＰルートを設け、
前記サービス提供ルータは、ユーザ端末からの試用要求があると、前記優先ＩＰルートを一定時間のみ確保しユーザに試用させ、一定時間内にユーザ端末から使用確定の要求があると、ユーザ端末からの使用停止要求があるまで決定した優先ＩＰルートを使用させ、使用料を時間課金する
ことを特徴とするインターネットサービス提供システム。
【請求項２】
前記サービスプロバイダがユーザ端末から試用要求を受けても、一定時間内に使用確定の要求がない場合、通常のＩＰルートに自動的に戻し、ユーザには非課金とする
ことを特徴とする請求項１記載のインターネットサービス提供システム。
【請求項３】
前記サービス提供ルータと他のルータ間で、同じルート選択ロジックを用いて、インターネットサービスプロバイダのルータからのパケット転送のみならず、逆方向のパケット転送についても優先ＩＰルートの試用、決定を可能とする
ことを特徴とする請求項１或いは２何れか１項記載のインターネットサービス提供システム。
【請求項４】
ユーザから直接サービス要求を受け付けるインターネットサービスプロバイダは、ユーザからサービス料を受け取り、優先ＩＰルートを合わせて提供する他の業者にルート使用時間に応じたルート使用料を支払い、その差分を利益とすること
を特徴とする請求項１乃至３何れか１項記載のインターネットサービス提供システム。
【請求項５】
通常のネットワークの他にＱｏＳ別や迂回ルート等の複数のＩＰルートを構成する、インターネットサービスを提供するプロバイダがサービスを提供するルータであって、
ＷＥＢ等からのユーザの要求を受け入れるＷＥＢ機能部と、
ユーザの要求するサービスの種類を判定するサービスメニュー判定部と、
タイマによりサービスの時間管理を行うタイマ監視部と、
ユーザの要求にしたがって、パケットの転送表を書き換える転送表作成部を有する
ことを特徴とするルータ。
【請求項６】
通常のネットワークの他にＱｏＳ別や迂回ルート等の複数のＩＰルートを構成する、コンテンツを配信するプロバイダがコンテンツ配信を行うルータであって、
ユーザの要求するサービスの種類を判定するサービスメニュー判定部と、
タイマによりサービスの時間管理を行うタイマ監視部と、
ユーザの要求にしたがって、パケットの転送表を書き換える転送表作成部を有する
ことを特徴とするルータ。
【請求項７】
通常のネットワークの他にＱｏＳ別や迂回ルート等の複数のＩＰルートを構成する、一般ユーザのインターネットサービスプロバイダへの接続を可能とするアクセス網中のルータであって、
ユーザの要求するサービスの種類を判定するサービスメニュー判定部と、
タイマによりサービスの時間管理を行うタイマ監視部と、
ユーザの要求にしたがって、パケットの転送表を書き換える転送表作成部を有する
ことを特徴とするルータ。
【請求項８】
インターネットサービスを提供するプロバイダのサービス提供ルータが、アクセス網を介して、ユーザ端末からルート試用要求をうけると、
前記サービス提供ルータと、コンテンツを提供する他の複数プロバイダのルータを含む他のルータとの間に設けられたＱｏＳ別や迂回ルート等の複数の優先ＩＰルートを選択するように、パケットの転送表を書き換え、一定時間のみ該優先ＩＰルートを確保しユーザに試用させ、一定時間内にユーザ端末から使用確定の要求があると、ユーザ端末からの使用停止要求があるまで決定した優先ＩＰルートを使用させ、使用料を時間課金する
ことを特徴とするインターネットサービス提供方法。
【請求項９】
前記サービスプロバイダがユーザ端末から試用要求を受けても、一定時間内に使用確定の要求がない場合、通常のＩＰルートとなるように転送表を戻し通常のＩＰルートを使用させ、ユーザには非課金とする
ことを特徴とする請求項８記載のインターネットサービス提供方法。
【請求項１０】
前記サービス提供ルータと他のルータ間で、同じルート選択ロジックを用いて、インターネットサービスプロバイダのルータからのパケット転送のみならず、逆方向のパケット転送についても優先ＩＰルートを試用、決定を可能とする
ことを特徴とする請求項８或いは９何れか１項記載のインターネットサービス提供方法。
【請求項１１】
ユーザから直接サービスを受け付けるインターネットサービスプロバイダは、ユーザからサービス料を受け取り、優先ＩＰルートを合わせて提供する他の業者にルート使用時間に応じたルート使用料を支払い、その差分を利益とすること
を特徴とする請求項８乃至１０何れか１項記載のインターネットサービス提供方法。
【請求項１２】
インターネットサービスを提供するプロバイダのサービス提供ルータが、アクセス網を介して、ユーザ端末からルート試用要求をうけると、前記サービス提供ルータと、コンテンツを提供する他の複数プロバイダのルータを含む他のルータとの間に設けられたＱｏＳ別や迂回ルート等の複数の優先ＩＰルートを選択するように、パケットの転送表を書き換え、一定時間のみ該優先ＩＰルートを確保しユーザに試用させ、一定時間内にユーザ端末から使用確定の要求があると、ユーザ端末からの使用停止要求があるまで決定した優先ＩＰルートを使用させ、使用料を時間課金する
ことを特徴とするインターネットサービス提供プログラム。
【請求項１３】
前記サービスプロバイダがユーザ端末から試用要求を受けても、一定時間内に使用確定の要求がない場合、通常のＩＰルートとなるように転送表を戻し通常のＩＰルートを使用させ、ユーザには非課金とする
ことを特徴とする請求項１２記載のインターネットサービス提供プログラム。
【請求項１４】
前記サービス提供ルータと他のルータ間で、同じルート選択ロジックを用いて、インターネットサービスプロバイダのルータからのパケット転送のみならず、逆方向のパケット転送についても優先ＩＰルートを試用、決定を可能とする
ことを特徴とする請求項１２或いは１３何れか１項記載のインターネットサービス提供プログラム。
【請求項１５】
ユーザから直接サービスを受け付けるインターネットサービスプロバイダは、ユーザからサービス料を受け取り、優先ＩＰルートを合わせて提供する他の業者にルート使用時間に応じたルート使用料を支払い、その差分を利益とすること
を特徴とする請求項１２乃至１４何れか１項記載のインターネットサービス提供プログラム。
【請求項１６】
請求項１２乃至１５のプログラムを記録した記録媒体。
【発明の詳細な説明】
【０００１】
【発明の属する技術分野】
本発明は、インターネット接続サービスにおけるルートの選択と、これに用いるルータ等に関する。
【０００２】
【従来の技術】
従来のＩＳＰ（インターネットサービスプロバイダ）接続における情報配信では、一般のユーザは特定のコンテンツまでは特定の経路のみを使用して、コンテンツの配信を受けていた。また、インターネット接続を提供するＩＳＰ業者のルータは、ユーザＰＣあるいはコンテンツを提供するＩＳＰまで、特定の経路のみをとっていた。
【０００３】
従来のルータイメージを図１に示す。パケット処理部１０Ａは、サービスプロバイダ側のＩＳＰ網に接続するパケット送受信部１（高優先）、パケット送受信部２（低優先）、パケット振り分け部３、他プロバイダ側のＩＳＰ網に接続するパケット送受信部４（高優先）、パケット送受信部５（低優先）を有している。（例えば、特許文献１参照。）。
【０００４】
ＱｏＳを例に取ると、ルータは動的に変更しない転送表を元に、パケット振り分け部３にて決まった優先度のパケット振り分けを実施する。ユーザの要求に応じた動的な変更はできない。（例えば、特許文献２参照。）。
【０００５】
【特許文献１】
特開２００１−３５８７６１号公報
【特許文献２】
特開２００１−１８９７５４号公報
【０００６】
【発明が解決しようとする課題】
従来のＩＳＰ接続における情報配信では、ルートの通信帯域を保証できないばかりか、ユーザは特定のコンテンツまでのルートを選択することは不可能で、途中のルートが輻輳して快適な情報通信ができない場合でも、よりよいルートを選択し快適な情報通信を行うことは出来なかった。
【０００７】
インターネット接続を提供するＩＳＰ業者のルータでは、ユーザＰＣまでのルート、またはコンテンツを提供するＩＳＰまでのルートをユーザに応じて変更することが不可能で、また、予め高優先のＱｏＳルート等を提供しても、同じルートを多数のユーザが同時に使用すると通常のルートとの差別化が不可能でＱｏＳに応じたユーザに対する課金をするサービスはできなかった。
【０００８】
本発明は、上記問題に鑑みてなされたものであり、その目的とするところは、ユーザＰＣからの要求により、ＩＳＰ業者のルータが一定時間内に複数のルートをユーザに試用させ、ユーザの希望するより快適にＩＰパケット通信を行うことのできるルートを１つ決定させることを可能とし、それに対してユーザに課金を行うことのできるシステム、装置及び方法等を提供することにある。
【０００９】
【課題を解決するための手段】
本発明では、前記目的を達成するため、請求項１では、インターネットサービスを提供するプロバイダのサービス提供ルータと、コンテンツを提供する他の複数プロバイダのルータと、該プロバイダ間を接続するネットワークと、一般ユーザのインターネットサービスプロバイダへの接続を可能とするアクセス網と、一般ユーザの所有する端末とを含むインターネットサービス提供システムにおいて、前記サービス提供ルータと他のルータとの間にＱｏＳ別や迂回ルート等の複数の優先ＩＰルートを設け、前記サービス提供ルータは、ユーザ端末からの試用要求があると、前記優先ＩＰルートを一定時間のみ確保しユーザに試用させ、一定時間内にユーザ端末から使用確定の要求があると、ユーザ端末からの使用停止要求があるまで決定した優先ＩＰルートを使用させ、使用料を時間課金することを特徴とするインターネットサービス提供システムをもって解決手段とする。
【００１０】
請求項２では、前記サービスプロバイダがユーザ端末から試用要求を受けても、一定時間内に使用確定の要求がない場合、通常のＩＰルートに自動的に戻し、ユーザには非課金とすることを特徴とする請求項１記載のインターネットサービス提供システムをもって解決手段とする。
【００１１】
請求項３では、前記サービス提供ルータと他のルータ間で、同じルート選択ロジックを用いて、インターネットサービスプロバイダのルータからのパケット転送のみならず、逆方向のパケット転送についても優先ＩＰルートの試用、決定を可能とすることを特徴とする請求項１或いは２何れか１項記載のインターネットサービス提供システムをもって解決手段とする。
【００１２】
請求項４では、ユーザから直接サービス要求を受け付けるインターネットサービスプロバイダは、ユーザからサービス料を受け取り、優先ＩＰルートを合わせて提供する他の業者にルート使用時間に応じたルート使用料を支払い、その差分を利益とすることを特徴とする請求項１乃至３何れか１項記載のインターネットサービス提供システムをもって解決手段とする。
【００１３】
請求項５では、通常のネットワークの他にＱｏＳ別や迂回ルート等の複数のＩＰルートを構成する、インターネットサービスを提供するプロバイダがサービスを提供するルータであって、ＷＥＢ等からのユーザの要求を受け入れるＷＥＢ機能部と、ユーザの要求するサービスの種類を判定するサービスメニュー判定部と、タイマによりサービスの時間管理を行うタイマ監視部と、ユーザの要求にしたがって、パケットの転送表を書き換える転送表作成部を有することを特徴とするルータをもって解決手段とする。
【００１４】
請求項６では、通常のネットワークの他にＱｏＳ別や迂回ルート等の複数のＩＰルートを構成する、コンテンツを配信するプロバイダがコンテンツ配信を行うルータであって、ユーザの要求するサービスの種類を判定するサービスメニュー判定部と、タイマによりサービスの時間管理を行うタイマ監視部と、ユーザの要求にしたがって、パケットの転送表を書き換える転送表作成部を有することを特徴とするルータをもって解決手段とする。
【００１５】
請求項７では、通常のネットワークの他にＱｏＳ別や迂回ルート等の複数のＩＰルートを構成する、一般ユーザのインターネットサービスプロバイダへの接続を可能とするアクセス網中のルータであって、ユーザの要求するサービスの種類を判定するサービスメニュー判定部と、タイマによりサービスの時間管理を行うタイマ監視部と、ユーザの要求にしたがって、パケットの転送表を書き換える転送表作成部を有することを特徴とするルータをもって解決手段とする。
【００１６】
請求項８では、インターネットサービスを提供するプロバイダのサービス提供ルータが、アクセス網を介して、ユーザ端末からルート試用要求をうけると、前記サービス提供ルータと、コンテンツを提供する他の複数プロバイダのルータを含む他のルータとの間に設けられたＱｏＳ別や迂回ルート等の複数の優先ＩＰルートを選択するように、パケットの転送表を書き換え、一定時間のみ該優先ＩＰルートを確保しユーザに試用させ、一定時間内にユーザ端末から使用確定の要求があると、ユーザ端末からの使用停止要求があるまで決定した優先ＩＰルートを使用させ、使用料を時間課金することを特徴とするインターネットサービス提供方法をもって解決手段とする。
【００１７】
請求項９では、前記サービスプロバイダがユーザ端末から試用要求を受けても、一定時間内に使用確定の要求がない場合、通常のＩＰルートとなるように転送表を戻し通常のＩＰルートを使用させ、ユーザには非課金とすることを特徴とする請求項８記載のインターネットサービス提供方法をもって解決手段とする。
【００１８】
請求項１０では、前記サービス提供ルータと他のルータ間で、同じルート選択ロジックを用いて、インターネットサービスプロバイダのルータからのパケット転送のみならず、逆方向のパケット転送についても優先ＩＰルートを試用、決定を可能とすることを特徴とする請求項８或いは９何れか１項記載のインターネットサービス提供方法をもって解決手段とする。
【００１９】
請求項１１では、ユーザから直接サービスを受け付けるインターネットサービスプロバイダは、ユーザからサービス料を受け取り、優先ＩＰルートを合わせて提供する他の業者にルート使用時間に応じたルート使用料を支払い、その差分を利益とすることを特徴とする請求項８乃至１０何れか１項記載のインターネットサービス提供方法をもって解決手段とする。
【００２０】
【発明の実施の形態】
図２は本発明のシステムの一実施形態を示している。
【００２１】
ユーザＰＣ１００は、ＩＳＰ＃２で情報検索を行う際に、ＩＳＰ＃１のサービス提供ルータ２０に対して、ＷＥＢアクセスを行い、現在使用しているＩＰルート以外の複数のルートを選択できる画面を開き、ルートメニューより選択する。メニューに応じて、ＩＳＰ＃１のルータ２より指定ルートの確保をするため、アクセス網４０のルータ５０や、当該コンテンツを持つＩＳＰ＃２のルータ３０、または同一ＩＳＰ内のルータ６０に指示を送り、サービス提供ルータ２０とともに、優先ルートの設定を行う。ルータ間の優先ルートの設定はＨＴＴＰ等でＷＥＢベースのやりとりを行うことにより容易に実現する。
【００２２】
優先ルートは、ＱｏＳで提供するＴＯＳフィールドに応じた品質クラスの設定でもよく、またはＣＲ−ＬＳＰやＲＳ−ＶＰによる帯域保証のダイレクトなルートでもよく、実現方法は問わない。各装置間の選択するルートは、前述のルートの中から、各装置間で一意に決まっていることを前提とし、対向装置毎にルート番号とルートを事前に設定しておき、対向装置間で同じ値を使用する。ＱｏＳ等品質の違いが明らかになっているルートは、ルート選択のメニューに保証クラスや保証帯域等を表示する。
【００２３】
本実施形態では、例として、ＱｏＳによる高優先／低優先ルートを挙げて説明する。
【００２４】
ＩＳＰ＃１のルータ２で、使用開始より試用時間に応じてタイマ（１分間）を始動させ、タイマ時間内にＷＥＢアクセスでユーザからのルート決定指示があると試用時間に応じてタイマを停止、クリアして、現在使用のルートを維持し、課金用のタイマを始動させる。この時、ルータ３０やルータ５０及びルータ６０が選択で使用される場合、ルータ２より決定指示をルータ３０、５０、６０へ転送し、該当ルータにおいても同じように課金タイマを始動させる。ＷＥＢによるユーザＰＣ１００からの停止要求を受けると、ルータ２は、課金タイマを停止して、通常のＱｏＳクラス（低優先クラス）となるように、パケットの転送表を戻す。ルータ３０、５０、６０が選択されていた場合は、ルータ２より課金停止の指示を送信して、当該ルータにて課金を停止し、転送表を元に戻す。
【００２５】
上記の処理において、ユーザ１が試用のみで、使用決定を一定時間内に実施しない場合、ＩＳＰ＃１のルータ２は、タイマを満了、クリアして、転送表を通常のものに戻す。この時、課金タイマは始動していないため、ユーザへの課金は行わない。同時に、ルータ３０、５０、６０が試用ルートとして選択されていた場合、当該ルータにサービス提供ルータ２０から試用停止を指示し、サービス提供ルータ２と同じ動作にて、試用タイマをクリアし、転送表をもとに戻す。この時、当該ルータは、ＩＳＰ＃１に対して課金は行わない。
【００２６】
図３は本願のシステムの一実施形態における処理フローを表している。各ルータ間はＷＥＢベースのＨＴＴＰ等を用いて信号の送受信を行うことにより、容易に実現できる。図３の処理フローの中での選択可能な複数のルートに相当するサービス種別は、「アクセス網〜サービスプロバイダ間のルート」を選択するものをサービスＡ、「サービスプロバイダ〜コンテンツプロバイダ間のルート」を選択するものをサービスＢ、「アクセス網〜サービスプロバイダ〜コンテンツプロバイダ間のルート」のように、アクセス網、コンテンツプロバイダを同時に選択するものをサービスＣとしている。
【００２７】
他にＱｏＳやＬＳＰルートに応じたサービスや、サービスプロバイダ内のみのサービス、または、アクセス網内に閉じたルートのみを提供するサービスも含まれる。アクセス網内のみのサービスでは、ＣＡ（Ｃｅｒｔｉｆｉｃａｔｉｏｎ　Ａｕｔｈｏｒｉｔｙ）等をアクセス網内に配備して、アクセス網内のルータ間のみでルートを提供することによりルート提供ができる。この時、サービスプロバイダ内では課金のみを行い、転送表の設定は不要である。
【００２８】
図３を参照しながら、サービスＡ、Ｂ、Ｃについて説明する。
【００２９】
サービスＡでは、ユーザＰＣ１００が通信状態になると（Ｓ１）、ユーザの要求によりＷＥＢ上で試行サービスがＯＮになり（Ｓ２）、サービス提供ルータ２０における試用タイマもＯＮになる（Ｓ３）。続いて、指定サービスクラス（この場合はサービスＡ）に応じて処理を分岐し（Ｓ４）、サービス提供ルータ２０における転送表の設定処理を行う（Ｓ５）。サービスＡの試用が開始すると（Ｓ６），地域ＩＰ網等のアクセス網４０において、ルータ５０の試用監視タイマがＯＮになり（Ｓ７）、転送表設定処理を行い（Ｓ８）、タイマが満了に達したかの確認を行い（Ｓ９）、タイマが満了ならば、転送表戻し処理、試用タイマの停止、クリアが行われる（Ｓ１０）。
【００３０】
ステップ６でサービスＡの試用が開始されると、ＩＳＰ＃１において、ＷＥＢ上でユーザの要求によるサービス開始要求があるか確認を行う（Ｓ１１）。サービス開始要求があれば、アクセス網４０のルータ５０の試用タイマが停止され、クリアされ、そして課金タイマがＯＮにされる（Ｓ１８）。また、サービス提供ルータ２０及びルータ６０の課金タイマをスタートする（Ｓ１５）。そして、ＷＥＢ上でユーザの要求によりサービス終了の要求があればサービスを終了し、サービス提供ルータ２０及びルータ６０の課金タイマを停止する（Ｓ１７）。また、ルータ５０の課金タイマも停止し（Ｓ１９）、転送表が戻される（Ｓ２０）。ステップ１１において、サービス開始要求がない場合は、試用タイマが満了か否かの確認を行い（Ｓ１２）、満了であればサービス提供ルータ２０の転送表の戻し処理を行い、試用タイマを停止、クリアする。
【００３１】
サービスＢでは、ユーザＰＣ１００が通信状態になると（Ｓ１）、ユーザの要求によりＷＥＢ上で試行サービスがＯＮになり（Ｓ２）、サービス提供ルータ２０における試用タイマもＯＮになる（Ｓ３）。続いて、指定サービスクラス（この場合はサービスＢ）に応じて処理を分岐し（Ｓ４）、サービス提供ルータ２０における転送表の設定処理を行う（Ｓ５）。サービスＢの試用が開始すると（Ｓ６），ＩＳＰ＃２において、ルータ３０の試用監視タイマがＯＮになり（Ｓ２２）、転送表設定処理を行い（Ｓ２３）、タイマが満了に達したかの確認を行い（Ｓ２４）、タイマが満了ならば、転送表戻し処理、試用タイマの停止、クリアが行われる（Ｓ２５）。
【００３２】
ステップ６でサービスＢの試用が開始されると、ＩＳＰ＃１において、ＷＥＢ上でユーザの要求によるサービス開始要求があるか確認を行う（Ｓ１１）。サービス開始要求があれば、ＩＳＰ＃２のルータ３０の試用タイマが停止され、クリアされ、そして課金タイマがＯＮにされる（Ｓ２６）。また、サービス提供ルータ２０及びルータ６０の課金タイマをスタートする（Ｓ１５）。そして、ＷＥＢ上でユーザの要求によりサービス終了の要求があればサービスを終了し、サービス提供ルータ２０及びルータ６０の課金タイマを停止する（Ｓ１７）。また、ルータ３０の課金タイマも停止し（Ｓ２７）、転送表が戻される（Ｓ２８）。ステップ１１において、サービス開始要求がない場合は、試用タイマが満了か否かの確認を行い（Ｓ１２）、満了であればサービス提供ルータ２０の転送表の戻し処理を行い、試用タイマを停止、クリアする。
【００３３】
サービスＣでは、アクセス網４０、ＩＳＰ＃２を共に使用する。つまり、サービスＡ、Ｂの両方のサービスを行うものである。
【００３４】
サービスプロバイダが用いる装置（ルータ）の詳細を図４に示す。
【００３５】
ユーザＰＣからのＷＥＢアクセスは、パケット処理部１０Ａにおける低優先パケット送受信部２を通過して、サービス提供部１１Ａのサービスメニュー判定部７に送られる。試用時には、図３のフローに示すように、最初に試用タイマをタイマ監視部８にて始動させ、転送表作成部９にて、要求ユーザＰＣのＩＰアドレスをソースアドレスとするパケットのうち、指定のコンテンツ向けのＩＰアドレスをディスティネーションアドレスとするパケットを高優先とする転送表を作成して、パケット振り分け部３に転送し設定する（図３の処理フローにおけるサービスＢあるいはＣの場合）。
【００３６】
また、サービスＡあるいはＣの場合は、アクセス網側の別ルートも設定するため、指定コンテンツを配信するルータのＩＰアドレスをディスティネーションアドレスとするパケットを高優先とする転送表を作成してパケット振り分け部３に転送し設定する。
【００３７】
図５にコンテンツ提供ＩＳＰルータ、図６にアクセス網を提供するルータの詳細例を示す。
【００３８】
図５のコンテンツ提供ＩＳＰルータでは、図４のルータと異なり、図６のルータと同様、サービス提供部１１ＢにＷＥＢ機能部６を有していない。また、図６のアクセス網を提供するルータでは、図４、図５のルータと異なり、高優先、低優先の区別のないパケット送受信部０を有し、ユーザＰＣと接続している。
【００３９】
本サービスを行うことにより、直接サービスを提供するサービスプロバイダは、通常に契約するユーザから通常料金に加えて、サービス決定後に使用した時間分のサービスクラスに応じた料金をユーザに請求する。また、サービスプロバイダは、例えば、サービスＢの場合、コンテンツプロバイダ間のルートを提供する場合、ルート設定をしてもらうことと引き換えに、ルート使用料をコンテンツプロバイダに支払う。この差額により、サービスプロバイダは利益を得る。
【００４０】
図７はこの場合（サービスＢ）の料金回収のフローチャートを示している。サービスプロバイダは、プロバイダ加入者に対して、定額料金と、アクセス網の提供及びコンテンツプロバイダへのルート提供のためのサービス時間分のサービス料をプロバイダ加入者から徴収する。また、プロバイダは、アクセス網提供業者にアクセス網を提供してもらうかわりに、接続料をアクセス網提供業者に対して支払い、コンテンツプロバイダにコンテンツまでのルートを提供してもらうかわりに、サービス時間分のルート使用料をコンテンツプロバイダに対して支払う。
【００４１】
図８は、コンテンツがサービスプロバイダのネットワーク内に閉じており、別ルートを提供できる場合の料金回収のフローチャートを示している。サービスプロバイダは、プロバイダ加入者に対して、定額料金と、アクセス網の提供のためのサービス時間分のサービス料をプロバイダ加入者から徴収する。また、サービスプロバイダは、アクセス網提供業者にアクセス網を提供してもらうかわりに、接続料をアクセス網提供業者に対して支払う。
【００４２】
図９は、アクセス網よりルート設定を実施してもらうサービスＡの場合の料金回収のフローチャートを示しており、この場合、ＩＳＰ業者はアクセス網提供業者に対して通常の接続料に加え、使用時間分の料金を支払う。
【００４３】
図１０は、図３におけるサービスＣを行った場合の料金回収のフローチャートを示しており、図９のサービスＡと図７のサービスＢが組合わせたものである。
【００４４】
【発明の効果】
以上説明したように、本発明のシステム、ルータ及びサービス提供方法等を利用することにより、今までＩＰを基本としたインターネットの世界では困難であったＱｏＳ等の通信品質に応じた差別化による課金の差別化が実施可能になり、ネットワーク側としてＱｏＳ等の情報通信ルートの複数配備を、直接ユーザからの課金と結びつけることが可能となる。また、従来は、ユーザが選択できなかった情報通信ルートの選択を行うことを可能とする。従来、手続が煩わしい高品質の通信手段契約や、有料サイトへのクレジットカード登録などのセキュリティの確保が困難な手続を行うことを不要として、手軽に、短時間かつユーザに利益のあるサービスを提供できる。
【図面の簡単な説明】
【図１】従来のユーザ要求による動的なルート選択を行わないルータの構成図
【図２】本発明におけるネットワーク全体の構成図
【図３】本発明のサービス提供方法を実行する際の各装置間の処理のフローチャート
【図４】本発明のサービス提供方法の実行のためのサービスプロバイダのルータの構成図
【図５】本発明のサービス提供方法の実行のためのコンテンツプロバイダのルータの構成図
【図６】本発明のサービス提供方法の実行のためのアクセス網提供事業者側ルータの構成図
【図７】サービスＢを実施した場合の料金回収のフローチャート
【図８】サービスプロバイダのＩＰネットワーク内のみでルート提供サービスを実施した場合の料金回収のフローチャート
【図９】サービスＡを実施した場合の料金回収のフローチャート
【図１０】サービスＣを実施した場合の料金回収のフローチャート
【符号の説明】
０…パケット送受信部、１、４…パケット送受信部（高優先）、２、５…パケット送受信部（低優先）、３…パケット振り分け部、６…ＷＥＢ機能部、７…サービスメニュー判定部、８…タイマ監視部、９…転送表作成部、１０Ａ、１０Ｂ…パケット処理部、１１Ａ、１１Ｂ…サービス提供部、２０…サービス提供ルータ、３０、５０、６０…ルータ、４０…アクセス網、１００…ユーザＰＣ。
【図１】
2004104252.tif 000003
【図２】
2004104252.tif 000004
【図３】
2004104252.tif 000005
【図４】
2004104252.tif 000006
【図５】
2004104252.tif 000007
【図６】
2004104252.tif 000008
【図７】
2004104252.tif 000009
【図８】
2004104252.tif 000010
【図９】
2004104252.tif 000011
【図１０】
2004104252.tif 000012